(57)【要約】      （修正有）【課題】撮影する際に邪魔にならない、強度及び耐久性の高い片吊りタイプの一眼レフカメラ用ストラップを提供する。【解決手段】一眼レフカメラ用ストラップは、ストラップ部１と、カメラ取付部２と、を備え、ストラップ部１は平紐１１と、丸紐１６と、２つの接合部材１５とからなり、カメラ取付部２は丸カン２１と、テープ２２と、二重丸カン２３とからなり、丸カン２１を一端に設けたテープ２２の他端に二重丸カン２３を設けてカメラ取付部２を形成し、丸カン２１に丸紐１６を通し、平紐１１の一端と丸紐１６の一端とを接合部材１５で接合して形成した紐の両端を接合部材１５で接合してストラップ部１を形成し、カメラ取付部２を丸紐１６の範囲で自由に動かすことができることを特徴とする。【選択図】図１
0003195801.tif 000002
【実用新案登録請求の範囲】
【請求項１】
ストラップ部と、カメラ取付部と、を備え、前記ストラップ部は平紐と、丸紐と、２つの接合部材とからなり、前記カメラ取付部は丸カンと、テープと、二重丸カンとからなり、前記丸カンを一端に設けた前記テープの他端に前記二重丸カンを設けて前記カメラ取付部を形成し、前記丸カンに前記丸紐を通し、前記平紐の一端と前記丸紐の一端とを前記接合部材で接合して形成した紐の両端を前記接合部材で接合して前記ストラップ部を形成し、前記カメラ取付部を前記丸紐の範囲で自由に動かすことができることを特徴とする一眼レフカメラ用ストラップ。
【請求項２】
前記丸紐として長さ２５０〜３５０ mm、直径５〜１０ mmの丸紐を用い、前記平紐として長さ５００〜１，０００ mm、幅３５〜４０ mmの平紐を用い、前記丸カンは継ぎ目がないものを用いたことを特徴とする請求項1記載の一眼レフカメラ用ストラップ。
【請求項３】
前記テープとして長さ５０〜１００ mm、幅１０〜１５ mmのテープを用い、前記丸カンとして外径１５〜２５ mmのものを用い、前記二重丸カンとして外径１５〜２５ mmのものを用いたことを特徴とする請求項１又は請求項２記載の一眼レフカメラ用ストラップ。
【請求項４】
前記丸紐としてザイルコードを用い、前記ストラップ部の前記平紐の部分に長さ調節機構を備えたことを特徴とする請求項１ないし請求項３のいずれか一項に記載の一眼レフカメラ用ストラップ。
【考案の詳細な説明】
【技術分野】
【０００１】
本考案は、一眼レフカメラを首や肩などから吊り下げて使用するための一眼レフカメラ用ストラップに関するものである。
【背景技術】
【０００２】
従来の一眼レフカメラ用ストラップは、高価な、重い精密機器である一眼レフカメラをしっかりと支えるため、両吊りタイプのものが一般的であった。
【先行技術文献】
【特許文献】
【０００３】
【特許文献１】実用新案登録第３１９４００６号明細書
【特許文献２】実用新案登録第３１８５７７７号明細書
【特許文献３】実用新案登録第３１８５６５７号明細書
【考案の概要】
【考案が解決しようとする課題】
【０００４】
しかしながら、両吊りタイプのストラップの場合、撮影する際に、一眼レフカメラの位置や角度によってはストラップ自体が撮影の邪魔になることがあり、その位置や角度で撮影することが困難な場合がある。例えば、一眼レフカメラを縦にして撮影する場合、上側のストラップが垂れ下がり、ファインダーを覗くことが妨げられたり、手に引っ掛かったりするなど、撮影の邪魔になることがある。また、片吊りタイプのストラップは強度が低く、高価な一眼レフカメラを落とすなどして破損するおそれがあるため全く普及していない。そこで、本考案は、撮影する際に邪魔にならない、強度及び耐久性の高い片吊りタイプの一眼レフカメラ用ストラップを提供し、撮影者の思い通りの位置や角度に一眼レフカメラを動かして、ストレスを感じることなく撮影でき、また、高価な一眼レフカメラを長期間しっかりと支えることができる一眼レフカメラ用ストラップを提供することを課題とする。
【課題を解決するための手段】
【０００５】
上記課題を解決するため、本考案は次のような構成を有する。請求項1に記載の考案は、ストラップ部と、カメラ取付部と、を備え、前記ストラップ部は平紐と、丸紐と、２つの接合部材とからなり、前記カメラ取付部は丸カンと、テープと、二重丸カンとからなり、前記丸カンを一端に設けた前記テープの他端に前記二重丸カンを設けて前記カメラ取付部を形成し、前記丸カンに前記丸紐を通し、前記平紐の一端と前記丸紐の一端とを前記接合部材で接合して形成した紐の両端を前記接合部材で接合して前記ストラップ部を形成し、前記カメラ取付部を前記丸紐の範囲で自由に動かすことができることを特徴とする一眼レフカメラ用ストラップである。
【０００６】
請求項２に記載の考案は、前記丸紐として長さ２５０〜３５０ mm、直径５〜１０ mmの丸紐を用い、前記平紐として長さ５００〜１，０００ mm、幅３５〜４０ mmの平紐を用い、前記丸カンは継ぎ目がないものを用いたことを特徴とする請求項1記載の一眼レフカメラ用ストラップである。
【０００７】
請求項３に記載の考案は、前記テープとして長さ５０〜１００ mm、幅１０〜１５ mmのテープを用い、前記丸カンとして外径１５〜２５ mmのものを用い、前記二重丸カンとして外径１５〜２５ mmのものを用いたことを特徴とする請求項１又は請求項２記載の一眼レフカメラ用ストラップである。
【０００８】
請求項４に記載の考案は、前記丸紐としてザイルコードを用い、前記ストラップ部の前記平紐の部分に長さ調節機構を備えたことを特徴とする請求項１ないし請求項３のいずれか一項に記載の一眼レフカメラ用ストラップである。
【考案の効果】
【０００９】
本考案の一眼レフカメラ用ストラップは、撮影する際に邪魔にならない、強度及び耐久性の高い片吊りタイプのストラップであるため、撮影者の思い通りの位置や角度に一眼レフカメラを動かして、ストレスを感じることなく撮影でき、また、高価な一眼レフカメラを長期間しっかりと支えることができる。さらに、本ストラップの構造から、一眼レフカメラを必要十分な範囲でスムーズに動かすことができ、また、着脱や使用中の移動が容易であり、かつ、首や肩にかかる負担を軽減することができる。
【図面の簡単な説明】
【００１０】
【図１】図１は一眼レフカメラ用ストラップの正面図である。
【図２】図２は一眼レフカメラ用ストラップの側面図である。
【図３】図３は一眼レフカメラ用ストラップの背面図である。
【考案を実施するための形態】
【００１１】
以下、本考案を実施するための形態を、図面を参照しながら説明する。
【００１２】
図１、２、３はそれぞれ一眼レフカメラ用ストラップの正面図、側面図、背面図である。まず、カメラ取付部２について説明する。カメラ取付部２は、丸カン２１と、テープ２２と、二重丸カン２３と、からなり、丸カン２１と二重丸カン２３にテープ２２を通して、テープ２２の一端に丸カン２１を、他端に二重丸カン２３をそれぞれ接合する。接合方法は、テープ２２を複数重ねて縫い合わせるなど、接合部分の強度及び耐久性が高い方法を用いる。テープ２２の部分にカバーを設けて補強してもよい。
【００１３】
次に、ストラップ部１について説明する。ストラップ部１は、平紐１１と、丸紐１６と、２つの接合部材１５と、からなり、丸紐１６をカメラ取付部２の丸カン２１に通し、平紐１１の一端と丸紐１６の一端を接合部材１５で接合する。平紐１１の他端と丸紐１６の他端を接合部材１５で接合する。接合方法は、平紐１１の端と丸紐１６の端と接合部材１５とを重ねて縫い合わせるなど、接合部分の強度及び耐久性が高い方法を用いる。平紐１１の長さを調節するため、紐束ね部材１２、コキ１３、カン１４を用いて、長さ調節機構を設けてもよい。なお、長さ調節機構はコキを１つ使ったものに限定されるものではなく、コキは複数あってもよいし、その他の一般的な手法で長さ調節機構を設けてもよい。また、平紐１１に首や肩にかかる負担を軽減するためのパッドを設けてもよい。
【００１４】
丸紐１６は、直径５〜１０ mmのものが好ましい。十分な強度を確保し、丸カン２１を丸紐１６の範囲でスムーズに動かすことができるようにするためである。丸紐１６は、長さ２５０〜３５０ mmのものが好ましい。カメラを必要十分な範囲で動かすことができるようにするためである。平紐１１は、長さ５００〜１，０００ mmのものが好ましい。カメラをちょうどよい位置に吊り下げるためである。平紐１１は、幅３５〜４０ mmのものが好ましい。首や肩にかかる負担を軽減するため、かつ、ストラップの着脱や使用中の移動を容易にするためである。丸カン２１は継ぎ目がないものを用いることが好ましい。丸カン２１を動かす際に丸紐１６を傷つけないようにするためである。
【００１５】
テープ２２は、長さ５０〜１００ mm、幅１０〜１５ mmのテープを用いることが好ましい。十分な強度を確保し、かつ、カメラで撮影する際にストラップが邪魔にならないようにするためである。丸カン２１は、外径１５〜２５ mmのものを用いることが好ましい。丸カン２１を丸紐１６の範囲でスムーズに動かすことができるようにするためである。二重丸カン２３は、外径１５〜２５ mmのものを用いることが好ましい。カメラに取り付けやすく、かつ、カメラで撮影する際に邪魔にならないようにするためである。
【００１６】
丸紐１６は、ザイルコードなどの、摩耗に強い、しなやかな、強度の高い材質のものを用いることが好ましい。十分な耐久性及び強度を確保するためである。平紐１１及びテープ２２は、強度の高い材質のものを用いることが好ましい。十分な耐久性及び強度を確保するためである。接合部材１５は、革などの、強度の高い材質のものを用いることが好ましい。十分な耐久性及び強度を確保するためである。
【実施例１】
【００１７】
本考案の一実施例を示す。平紐１１として、長さ１，０００ mm、幅３８ mmのアクリル製の平紐を用い、丸紐１６として、長さ３４０ mm、直径６ mmのザイルコードを用いた。接合部材１５として革製のものを用い、テープ２２として、長さ７０ mm、幅１１ mmのナイロン製のテープを用いた。テープ２２の周りには、補強のため革製のカバーを巻いた。丸カン２１は、両端を溶接した、継ぎ目がない、外径２０ mmの金属製のものを用いた。二重丸カン２１は、外径２０ mmの金属製のものを用いた。ゴム製の紐束ね部材１２、プラスチック製のコキ１３、プラスチック製のカン１４を用いて、長さ調節機構を設けた。
【符号の説明】
【００１８】
１    ストラップ部
１１  平紐
１２  紐束ね部材
１３  コキ
１４  カン
１５  接合部材
１６  丸紐
２    カメラ取付部
２１  丸カン
２２  テープ
２３  二重丸カン
【図１】
0003195801.tif 000003
【図２】
0003195801.tif 000004
【図３】
0003195801.tif 000005